(57)【要約】【課題】竹や雑草および雑木の生育を抑止する為に、安全性を備えた防護網を簡単に設置でき、かつ繰り返し効果を得ることを可能とする。【解決手段】返し棒３を備えた支柱２を土中に深く埋め込み、取り外し可能なワイヤー８で固定された金属などの部材でなる網１によって、竹や雑木などの生育を抑止する。【選択図】  図１
2012034584.tif 000002
【特許請求の範囲】
【請求項１】
本発明は、竹や雑草および雑木の生育を抑止することが可能な返し棒を備えた支柱を土中深く埋め込むことを特徴とする防護網。
【請求項２】
請求項１において、網１と支柱２及びその他の固定部は金属などの堅い部材でなり、かつ耐浸食性の高い部材からなることを特徴とする防護網。
【発明の詳細な説明】
【技術分野】
【０００１】
本発明は、地中の竹の広がりや雑木の生育等を抑止する網を提供することを目的とする防護網に関する。
【背景技術】
【０００２】
従来、地中の竹や木を取り除き、その広がりを防ぐためには田畑の周辺を囲いで覆い、重機で根や根茎部を掘り起こさなければならず大がかりな作業になるという問題があった。
【０００３】
その為に、雑草や竹を排除する除草剤を撒いたり根茎部に注入するなど、さまざまな工夫がなされてきた。
【０００４】
また、過去にシートに配列された刃先で雑草の芽および茎を切断する除草用シートが提案されたことがある。（特許文献１参照）
【先行技術文献】
【特許文献】
【０００５】
【特許文献１】特開２００２−８４９０１  公報
【発明の概要】
【発明が解決しようとする課題】
【０００６】
しかし、従来の田畑の周りに囲いで覆う方法では、地中深くから進入してくる根茎を排除することができず、完全に竹や木の根茎を根絶する為には重機で掘り起こすなどの必要性があり、その場合も隣接する他の所有者の土地にも竹などの根茎及び地下茎が伸びている場合が多く、問題はなかなか解決されなかった。
【０００７】
また、除草剤を撒いたり、根茎部に薬剤を注入するなどの方法では、薬剤の影響がなくなるまで農作物を作ることができず、さらに作物を植えてから後に生育してきた竹については除草剤を撒くことは不可能であった。
【０００８】
そこで、特許文献１においては、刃先で雑草の芽および茎を切断する除草用シートが提案されたが、刃先にうまくヒットしなければ竹がそのまま生育し、シートが盛り上がることは明確である上に広範囲に渡ってシートを導入する必要があり、かつ刃先が竹の汁で錆びると交換が必要になるので、低コストで手軽なものではないところに難点があった。
【課題を解決するための手段】
【０００９】
したがって本発明に係る防護網の目的は、竹や雑草の伸育力を抑止することが可能な返し棒を備えた支柱を、土中に深く埋め込むことを特徴とする防護網を提供するものである。
【発明の効果】
【００１０】
本発明によって、一度設置するだけで生育を抑止することが可能な防護網を提供することができる。
【００１１】
また本発明おいて、隣接する他の所有者の土地の竹や雑木などが残存した状態でも、単独で必要な場所のみ効力を発揮できる防護網を提供することができる。
【００１２】
また本発明では、除草剤を使用する必要がないため、土壌や近隣の川を汚すことなく安全性を提供することができる。
【００１３】
また、防護網を設置することで、防護網の範囲の竹の子が折れて生育しない為、猪などの動物が竹の子や根を掘り返す目的で防護網の中に進入し、農作物を踏み荒らすなどの被害を回避することができるという効果が得られる。
【００１４】
また、防護網を設置することで地中のもぐらなどの動物が地上に出ることができないので、農作物を荒らすなどの被害を回避することができるという効果が得られる。
【図面の簡単な説明】
【００１５】
【図１】本発明の実施形態を示す全体の斜視図。
【図２】本発明の支柱２の先端付近を示す斜視図。
【図３】本発明の支柱２の下部を示す正面図。
【図４】本発明の他の実施例における支柱２の下部を示す斜視図。
【図５】本発明の図４の実施例における固定部の展開図を示す斜視図。
【図６】本発明の図５の固定部の一部を示す斜視図。
【図７】本発明の図４の実施例における固定部と返し棒１８を示す斜視図。
【発明を実施するための形態】
【００１６】
以下、本発明の一実施形態を図１〜図７に基づいて説明する。なお、この実施形態は、一例を開示するものであり特許請求の範囲を意図的に限定するものではない。
【００１７】
まず図１は、本発明の実施形態を示す全体の正面図であり、図１において竹や雑木などの生育を抑止する網１の四方向の角にそれぞれ結んだ支柱２を備える構成とする。
【００１８】
そして、支柱２のズレや傾倒を防ぎ、かつ網１の浮き上がりを防ぐ為に、返し棒３を支柱２の底辺先端に固定設置する。 
【００１９】
網１の地上からの深さは、農作物を育てられるよう網状の形状であり、その間を農作物の根が伸びるので問題ないが、大体地上から１０センチメートルから３０センチメートルあたりまでの深さが好ましい。
【００２０】
また、網１の周辺には網補強部材６を囲むように接着固定、または編み込みし、この網補強部材６には害虫忌避剤を練り込んだり、補強部材６全体にトゲや針を付着させ、動物の進入を防ぐ機能を備えるのも好ましい。
【００２１】
次に、図２の支柱２の先端付近を示す斜視図において、網１の四角の先端にハト目リングをプレス加工接着し、ワイヤー８を結び付けて支柱２と網１を固定する。
【００２２】
支柱２に巻き付けるワイヤー８は、ワイヤー保護材７で覆うことで支柱２を傷つけないよう保護し、かつ上下に固定部４で挟むように固定し、ワイヤー８の支柱２からのズレや外れを防止する。
【００２３】
網１の部材としては、金属・ワイヤー・ステンレス・アルミニウム・真鍮・鋼・チタン・ガラスセラミックなどの堅さがあり、かつ耐浸食性の高い部材が好ましい。
【００２４】
また、支柱２と返し棒３及び、各固定部とネジは、金属やステンレスなど強度と耐浸食性の高い部材が好ましい。
【００２５】
次に、支柱２の下部について図３で説明する。図３において、支柱２の下部は、返し棒３を固定する上下の固定部を備える構成となる。
【００２６】
返し棒３は固定部５で外れないように接着固定または回転ネジなどで固定される。
【００２７】
次に図４は、本発明の他の実施例における支柱２の下部を示す斜視図であり、支柱２を真ん中に通し、連結部材１３を上固定部１２と、底辺先端固定ネジ１４で挟み込んで固定する構成となる。
【００２８】
この固定部を分かりやすく展開した図が図５であるが、連結部材１３には円周を囲むように突起部１５が構成され、この突起部１５に設けられた穴１６を、連結用リング１７が通っている。
【００２９】
そして、図６は本発明の図５の固定部の一部を示す斜視図であり、図６において返し棒１８の下部にある連結穴１９を上記の連結用リング１７に通しすしくみになる。
【００３０】
また図７は、本発明の図４の実施例における固定部と返し棒１８を示す斜視図であり、図５における連結部材１３に返し棒１８を全体に取り付けている。このように返し棒１８を連結固定し、上部に上固定部１２を支柱２を通し、支柱２と連結部材１３に接着固定する。
【００３１】
上固定部１２は、連結部材１３の突起部１５よりも直径が小さく、返し棒３が連結部材１３に対して９０度にまっすぐでは返し棒１８の意味が無い為、傾きは０度から８０度までの範囲に傾く角度で止まるように構成され、もし地中で返し棒１８の傾きがバラバラであっても、土の重さで動きが抑止されるので、支柱のズレや傾倒防止機能には問題ない。
【００３２】
このように、支柱２は返し棒３や返し棒１８のような部材を固定設置することで網１のズレや浮き上がり防止を得ることができる機能を備えるものとする。
【００３３】
そして、農作物の収穫を終えた時には、支柱２の上部である固定部４を外し、ワイヤー８を外すことで網１を容易に外し、土を耕すことができる。
【００３４】
また、スコップなどで地面を地中深く掘るには、女性や高齢者には容易ではないので、支柱２の内部中央を上部から下部に貫通するように空洞にし、支柱２の上部先端から水を注ぐと、図３の固定ネジ底部１０にあたる部分まで水が行き渡り、一時的に土を柔らかくすることで掘る作業の手間を大幅に省くことも可能である。その場合、地中深くに設置した後は、水が支柱２の空洞部に浸入しないように支柱２の先端上部に蓋を被せておくと良い。
【００３５】
また、焼き畑をする場合には、支柱２の先端部に取り付けた蓋を外し、内部中央の空洞部に水を流すことで、支柱２も返し棒３や返し棒１８ごと簡単に引き抜くことが可能であり、何度も繰り返し使用することができる。 
【符号の説明】
【００３６】
１    網
２    支柱
３    返し棒
４    固定部
５    底辺先端固定ネジ
６    網補強部材
７    ワイヤー保護材
８    ワイヤー
９    ハト目リング
１０    固定ネジ底部
１１    上固定部
１２    上固定部
１３    連結部材
１４    底辺先端固定ネジ
１５    突起部
１６    穴
１７    連結用リング
１８    返し棒
１９    連結穴
２０    支柱通し穴
【図１】
2012034584.tif 000003
【図２】
2012034584.tif 000004
【図３】
2012034584.tif 000005
【図４】
2012034584.tif 000006
【図５】
2012034584.tif 000007
【図６】
2012034584.tif 000008
【図７】
2012034584.tif 000009